(57)【特許請求の範囲】
【請求項１】
ハンドレバー（１）であって、当該ハンドレバー（１）の、内室内に突入した段部（２）を備えたスリーブ状のボディ（３）内に、ストッパ（５）を有する固定エレメント（４）が、制限されて長手方向に移動可能に支承されており、当該ハンドレバー（１）が、固定エレメント（４）に連結エレメント（６，７）によって回動不能に連結されており、スリーブ状のボディ（３）内に支持された、当該ハンドレバー（１）のためのばね（８）が設けられている形式のものにおいて、固定エレメント（４）が、スリーブ状のボディ（３）の段部（２）を越えて一体に延長部分（９）としてスリーブ状のボディ（３）内に延びており、ばね（８）のための第２の支持部と、ストッパ（５）とが、固定エレメント（４）にまたは該固定エレメント（４）の延長部分（９）に設けられており、スリーブ状のボディ（３）が、可撓性の材料から成っていることを特徴とする、ハンドレバー。
【請求項２】
延長部分（９）が、中空室（１０）を有している、請求項１記載のハンドレバー。
【請求項３】
延長部分（９）が、スリーブ状のボディ（３）内に突入した端部で、ばね（８）のための第２の支持部として形成された、ボディ内に向けられた側壁（１３）を備えたほぼポット状のカバー（１２）によって閉鎖されている、請求項１または２記載のハンドレバー。
【発明の詳細な説明】
【０００１】
【発明の属する技術分野】
本発明は、ハンドレバーであって、当該ハンドレバーの、内室内に突入した段部を備えたスリーブ状のボディ内に、段部と協働するストッパを有する固定エレメントが、制限されて長手方向に移動可能に支承されており、当該ハンドレバーが、固定エレメントに連結エレメントによって回動不能に軸方向で連結されており、スリーブ状のボディ内に片側で支持された、当該ハンドレバーと固定エレメントとの軸方向で係止可能なかつ係止解除可能な連結のためのばねが設けられている形式のものに関する。
【０００２】
【従来の技術】
このハンドレバーのための有利な使用分野は、技術的に使用されるような締付けレバー、もしくはこのような工作機械で加工されることが望ましいワークを固く保持するための締付け装置である。公知先行技術に基づき公知のこのような形式のハンドレバーは、このハンドレバーの構造に、しばしば手間のかかる高価な製造手段が必要となるという欠点を有している。
【０００３】
【発明が解決しようとする課題】
したがって、本発明の課題は、請求項１の上位概念部に記載した形式の、固定エレメントを備えたハンドレバーを改良して、簡単なかつ廉価な製造が保証され得るようにすることである。
【０００４】
【課題を解決するための手段】
この課題を解決するために本発明の構成では、固定エレメントが、スリーブ状のボディの段部を越えて一体に延長部分としてスリーブ状のボディ内に延びており、ばねのための第２の支持部と、ストッパとが、固定エレメントにまたは該固定エレメントの延長部分に設けられており、特に少なくともスリーブ状のボディまたは延長部分が、可撓性の材料から成っているようにした。
【０００５】
【発明の効果】
本発明によれば、ハンドレバーはプラスチックから極めて廉価に製造することができ、部材の組付けも極めて簡単となる。また、部材を螺合させる必要もなくなる。なぜならば、材料の可撓性に基づき、部材を差合せによって簡単に係止させてまとめることができるからである。
【０００６】
【発明の実施の形態】
以下に、本発明の実施の形態を図面につき詳しく説明する。
【０００７】
図１〜図３から明らかであるように、ハンドレバー１はスリーブ状のボディ３を有している。このボディ３には、内室内に突入した段部２が設けられている。スリーブ状のボディ３内には固定エレメント４が、制限されて長手方向に移動可能に支承されている。この場合、固定エレメント４はストッパ５を有している。このストッパ５はスリーブ状のボディ３の段部２と協働する。ハンドレバー１は連結エレメント６，７によって固定エレメント４に回動不能に軸方向で連結されている。ハンドレバー１と固定エレメント４との軸方向で係止可能なかつ係止解除可能な連結のためにばね８が設けられている。このばね８はスリーブ状のボディ３内に支持されている。固定エレメント４はその下側の端部に、スピンドル１７、軸またはこれに類するもののための収容部を有している。
【０００８】
固定エレメント４は、スリーブ状のボディ３の段部２を越えて一体にスリーブ状のボディ３内に延びていて、したがって、延長部分９を形成している。この場合、ばね８のための第２の支持部が設けられている。ストッパ５は固定エレメント４に設けられていてもよいし、この固定エレメント４の延長部分９に設けられていてもよい。少なくともスリーブ状のボディ３または延長部分９は可撓性の材料から成っている。
【０００９】
図１には、本発明の１つの構成が示してある。この構成では、延長部分９が、スリーブ状のボディ３内に突入した端部で、ほぼポット状のカバー１２によって閉鎖されている。このポット状のカバー１２は、スリーブ状のボディ３内に向けられた側壁１３を有している。この場合、この側壁１３はばね８のための第２の支持部として働く。組付けのためには、固定エレメント４がその延長部分９でスリーブ状のボディ３内に押し込まれ、次いで、ばね８の挿入後、ポット状のカバー１２が被せられて係止される。
【００１０】
図２に示した本発明の構成では、固定エレメント４が、ばね８のための第２の支持部をスリーブ状のボディ３の段部２の下方に有している。延長部分９は弾性的な材料から成っていて、中空に（符号１０参照）形成されている。これによって、部材は、単に互いに内外に押し込まれることにより極めて容易に組み付けることができる。この場合、ストッパ５は中空室１０の弾性によって段部２を介して滑動し、次いで、この段部２の背後に係止する。
【００１１】
図３に示したように、スリーブ状のボディ３内にはハンドレバー１の側から中空円筒体１４が突入している。この中空円筒体１４はその下側の端部に、内方に向けられたストッパ縁部１５を有している。この場合、ほぼきのこ状に形成された延長部分９は中空円筒体４内に突入しており、延長部分９のヘッド領域１８はストッパ縁部１５と協働している。この場合、スリーブ状のボディ３は、固定エレメント４とは反対に向けられた端部で開いて形成されている。中空円筒体１４の側方ではスリーブ状のボディ３にまたは延長部分９に、射出成形されたばねエレメント１６が配置されている。ここでも、部材は組立てのために互いに内外に押し込まれる。この場合、その後、ほぼきのこ状に形成された延長部分９が中空円筒体１４内で係止する。
【００１２】
図１〜図３に示した本発明の全ての構成では、延長部分９がその上側の端部でかつ固定エレメント４がその下側の端部でそれぞれ円対称的に形成されている。この場合、上側の領域は下側の領域に比べて外周に関して減少されている。さらに、延長部分９は、スリーブ状のボディ３内に突入する端部にばねのための第２の支持部（図２および図３参照）としてのもしくはストッパ（図１参照）としての環状段部１１を有している。
【００１３】
図１および図２に示した構成の事例では、連結の解除は、スピンドル１７またはこれに類するものが固く保持されたままハンドレバー１を矢印１９の方向にもしくは矢印２０とは逆方向に持ち上げることによってばね８の同時の緊縮下に軸方向で行われる。その後、規定された回動角度だけハンドレバー１を回動させることに基づき、ハンドレバー１が再び緩められ、ばね８が弛緩され、連結を再び行うことができる。ハンドレバー１と固定エレメント４との間の軸方向の相対運動は、ばね８が、ハンドレバー１の、規定された押圧運動後にブロック位置にあることによって制限することができる。
【００１４】
図３に示した構成の事例では、連結は、スピンドル１７またはこれに類するものが固く保持されたままハンドレバー１を矢印２０の方向に押圧することによってばね８の同時の緊縮下に軸方向で行われる。ばね８が弛緩されている場合には、連結エレメント６，７は形状接続（Ｆｏｒｍｓｃｈｌｕｅｓｓ）から解除されており、中空シリンダ１４のストッパ縁部１５とヘッド部分１８とは互いに係合している。こうして、ハンドレバー１の上方への運動が制限される。いま、ハンドレバーが矢印２０の方向で下方に運動させられると、ストッパ縁部１５とヘッド部分１８とが係合解除され、連結エレメント６，７が互いに回動不能に軸方向で連結される。この場合、ストッパ縁部１５は、矢印２０の方向でのスリーブ状のボディ３の運動を同時に制限している。
【図面の簡単な説明】
【図１】本発明の１つの構成による、固定エレメントを備えたハンドレバーの縦断面図である。
【図２】本発明の別の構成による、固定エレメントを備えたハンドレバーの縦断面図である。
【図３】本発明の第３の構成による、固定エレメントを備えたハンドレバーの縦断面図である。
【符号の説明】
１  ハンドレバー、  ２  段部、  ３  ボディ、  ４  固定エレメント、  ５ストッパ、  ６  連結エレメント、  ７  連結エレメント、  ８  ばね、  ９延長部分、  １０  中空室、  １１  環状段部、  １２  カバー、  １３  側壁、  １４  中空円筒体、  １５  ストッパ縁部、  １６  ばねエレメント、  １７  スピンドル、  １８  ヘッド部分、  １９  矢印、  ２０  矢印
【図１】
0004190755.tif 000002
【図２】
0004190755.tif 000003
【図３】
0004190755.tif 000004